【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】  複数の基地局のトランシーバにより送信される信号強度を移動局で測定し、
しきい値よりも大きい測定された信号強度を有している、トラヒックチャンネルを介して移動局と通信していない基地局のトランシーバを決定し、
その決定にしたがって、移動局により、基地局トランシーバのインジケータをアクティブセットへ付加し、
トラヒックチャンネルを介して移動局と通信している少なくとも１つの基地局トランシーバを介して、アクティブセットからインジケータを伝送し、
移動局と、トラヒックチャンネルを介して移動局と通信していない伝送された少なくとも１つの基地局との間にトラヒックチャンネルを設定するステップを有するソフトハンドオフ方法。
【請求項２】  データを移動局へ送信するように、トラヒックチャンネルを設定した少なくとも１つの基地局のトランシーバに命令するステップをさらに有する請求項１記載の方法。
【請求項３】  リソース割当命令を送信するステップをさらに有し、
リソース割当命令の送信は、システム制御装置によって移動局との通信を処理するように、トラヒックチャンネルを設定した少なくとも１つの基地局のトランシーバへ助言するステップを含んでいる請求項１記載の方法。
【請求項４】  指令メッセージを送信するステップをさらに有している請求項１記載の方法。
【請求項５】  指令メッセージを受信するステップをさらに有している請求項１記載の方法。
【請求項６】  指令メッセージにしたがって、アクティブセットのインジケータを調節するステップをさらに有している請求項５記載の方法。
【請求項７】  前記調節は、
指令メッセージの少なくとも１つのインジケータに一致しないインジケータをアクティブセットから除去するステップを含んでいる請求項６記載の方法。
【請求項８】  インジケータの付加は、
近隣トランシーバであるそれぞれ決定された基地局のトランシーバに対するインジケータを付加するステップを有している請求項１記載の方法。
【請求項９】  さらに、指令メッセージを検索するためにアクティブセット中のインジケータを使用するステップを有している請求項１記載の方法。
【請求項１０】  インジケータの付加は、
それぞれ決定された基地局のトランシーバに対するインジケータを付加するステップを有している請求項１記載の方法。
【請求項１１】  さらに、少なくとも１つの近隣トランシーバの識別子を移動局においてアクティブセットに付加し、ここで、少なくとも１つの近隣トランシーバの識別子がシステム制御装置により与えられ、
アクティブセットの識別子を使用して指令メッセージを検索し、
少なくとも１つの近隣トランシーバから指令メッセージを受信するステップを含んでいる請求項１記載の方法。
【請求項１２】  複数の基地局トランシーバの第１のセットは、セルラシステムの１つのセルに対してカバー区域を与える請求項１記載の方法。
【請求項１３】  複数の基地局トランシーバの第２のセットは、セルラシステム中の１つのセルの１セクタにカバー区域を与える請求項１記載の方法。
【請求項１４】  指令メッセージの送信は、伝送されたインジケータにより識別される基地局トランシーバを介して、指令メッセージを送信するステップを含んでいる請求項４記載の方法。
【請求項１５】  指令メッセージの送信は、伝送されたインジケータにしたがって、システム制御装置により識別される少なくとも１つの基地局トランシーバを介して指令メッセージを送信するステップを含んでいる請求項４記載の方法。
【請求項１６】  指令メッセージの送信は、トラヒックチャンネルを介して移動局と通信していない少なくとも１つの基地局トランシーバを介して、指令メッセージを送信するステップを含んでいる請求項４記載の方法。
【請求項１７】  指令メッセージの受信は、トラヒックチャンネルを介して移動局と通信していない少なくとも１つの基地局トランシーバを介して、指令メッセージを受信するステップを含んでいる請求項５記載の方法。
【請求項１８】  インジケータの伝送は、アクティブセット中に含まれるインジケータの伝送を含んでいる請求項１記載の方法。
【請求項１９】  少なくとも１つのプロセッサと、少なくとも１つのメモリとを具備し、前記少なくとも１つのメモリは、請求項１乃至１８のいずれか１項記載の方法を行うために少なくとも１つのプロセッサによって実行可能な命令を実行する移動局。
【請求項２０】  請求項１乃至１８のいずれか１項記載のステップを行うように構成されている手段を具備している通信装置。
【請求項２１】  複数の基地局のトランシーバにより送信される信号強度を移動局で測定する手段と、
しきい値よりも大きい測定された信号強度を有している、トラヒックチャンネルを介して移動局と通信していない各基地局トランシーバを決定する手段と、
前記決定にしたがって、移動局により、基地局トランシーバのインジケータをアクティブセットへ付加する手段と、
トラヒックチャンネルを介して移動局と通信している少なくとも１つの基地局トランシーバを介して、アクティブセットからインジケータを伝送する手段と、
移動局と、トラヒックチャンネルを介して移動局と通信していない伝送された少なくとも１つの基地局との間にトラヒックチャンネルを設定する手段とを具備している通信装置。
【手続補正２】
【補正対象書類名】明細書
【補正対象項目名】０００６
【補正方法】変更
【補正の内容】
【０００６】
図１で示されているように、トラヒック信号111は移動局101 と基地局103 との間で最初に送信される。移動局101 から基地局103 へ送信されるトラヒックはその後、基地局103 によりＭＳＣ107 へ送られる。同様に、ＭＳＣ107 で発生するトラヒックは基地局103 へ送信される、この通信はその後、基地局103 から移動局101 へ送信される。移動局101 が十分なパワーで第２の基地局105 からパイロット信号を検出するとき、移動局101 は、予め定められたしきい値を超える信号レベルで現在受信された全てのパイロットのパイロット強度を示すＰＳＭＭを第１の基地局103 へ送信する。図１で示されているケースでは、ＰＳＭＭは移動局101 が第１の基地局103 と第２の基地局105 の両者から予め定められたしきい値を超えるパイロット信号を受信していることを示している。このＰＳＭＭはその後、矢印115 により表されているように、第１の基地局103 からＭＳＣ107 へ送信される。ＭＳＣ107 は、ブロック116 により示されているように第２の基地局105 と移動局101 との間に通信リンクを設けるようにリソースの割当を第２の基地局105 へリクエストすることによって、このＰＳＭＭの受信に応答する。さらにＭＳＣ107 はハンドオフ指令メッセージ（ＨＤＭ）を発生する。このＨＤＭは、矢印119 で表されている時間遅延後、矢印117 により表されているように、ＭＳＣ107 から第１の基地局103 へ送信される。ＨＤＭメッセージはその後、矢印121 で表されているように、第１の基地局103 から移動局101 へ送信される。ＨＤＭは第２の基地局105 と移動局101 との間に通信路を設定するためのリソースを割当てるように第２の基地局105 に対してリクエストが行われたことを移動局101 へ示している。
【手続補正３】
【補正対象書類名】明細書
【補正対象項目名】０００７
【補正方法】変更
【補正の内容】
【０００７】
移動局101 は第２の基地局105 を移動局101 の“アクティブセット”へ付加し、矢印123 と125 により表されているようにハンドオフ完了メッセージ（ＨＣＭ）を第１の基地局103 と第２の基地局105 の両者へ送信することによってＨＤＭに応答する。第１の基地局103 と第２の基地局105 の両者は矢印127 と129 により表されているようにＨＣＭをＭＳＣ107 へ送信する。移動局101 のアクティブセットは移動局101 とアクティブに通信している基地局を示す。トラヒックはその後、第１の基地局103 と第２の基地局105 の両者を通じてＭＳＣ107 から移動局101 へ送信される。
【手続補正４】
【補正対象書類名】明細書
【補正対象項目名】００２６
【補正方法】変更
【補正の内容】
【００２６】
図６は、本発明の方法および装置にしたがった移動局 200Ａ、基地局 300Ａ、基地局 300Ｂ、ＭＳＣ400 間のメッセージの流れを示した図である。図６で示されているように、トラヒックチャンネルは移動局 200Ａと基地局 300Ａ間で最初に設定される。移動局 200Ａがアクティブパイロットしきい値を超える基地局 300Ａからのパイロットを検出するとき、移動局 200ＡはＰＳＭＭを基地局 300Ａへ送信する。ＰＳＭＭは、移動局 200Ａがアクティブパイロットしきい値よりも大きいレベルで基地局 300Ａおよび基地局 300Ｂの両者からパイロットを現在受信していることを示す。これは図６では“ＰＳＭＭ”に続いて括弧で“Ｘ”と“Ｙ”により示されている。ＰＳＭＭは基地局 300ＡによりＭＳＣ400 へ中継される。ＭＳＣ400 は、基地局 300Ｂにより割当てられるリソースが移動局 200Ａとの間のトラヒックチャンネルを支持するようにリクエストするために基地局 300Ｂと通信する。ＭＳＣ400 はその後、基地局 300Ａと 300Ｂの両者が移動局への通信を設定することを示すＨＤＭを発生し、基地局 300Ａと 300Ｂの両者へ送信する。移動局 200Ａはその後、ハンドオフ完了メッセージＨＣＭを発生し、送信する。ＨＣＭは基地局 300Ａにより受信され、ＭＳＣ400 へ中継される。ＨＣＭは移動体が適切にＨＤＭを受信していることをＭＳＣ400 へ示す。